(57)【特許請求の範囲】
【請求項１】
開口部を有する基板と、
前記開口部を開閉可能に支持された複数の第１羽根および１つの第２羽根と、
前記開口部の周囲を取り囲むように形成され、前記複数の第１羽根および前記１つの第２羽根を開閉駆動するための駆動リングと、
を備え、
前記駆動リングに、前記第１羽根を回動可能に支持する第１支持ピンを設け、
前記基板において、前記第１支持ピンよりも前記駆動リングにおける径方向の内側に、前記第１羽根と係合し、前記駆動リングおよび前記第１支持ピンと協働して前記第１羽根を開閉動作させる係合ピンを設け、
前記基板は、前記駆動リングにおける径方向の外側に、前記駆動リングに動力を伝達するためのアクチュエータ室を備え、
前記アクチュエータ室に、前記第２羽根を回動可能に支持する第２支持ピンを設け、
前記第２羽根は、前記第１羽根により前記開口部を閉じたときに、前記開口部の中心を閉じることを特徴とする絞り装置。
【請求項２】
前記第１羽根は、カム溝を有し、
前記係合ピンは、前記カム溝に挿入されていることを特徴とする請求項１に記載の絞り装置。
【請求項３】
前記駆動リングは、該駆動リングの周方向に延在する長孔を有し、
前記係合ピンは、前記長孔に挿入されていることを特徴とする請求項１または請求項２に記載の絞り装置。
【請求項４】
請求項１〜請求項３の何れか１項に記載の絞り装置を備えたことを特徴とする光学機器。
【発明の詳細な説明】
【技術分野】
【０００１】
この発明は、絞り装置および光学機器に関するものである。
【背景技術】
【０００２】
例えば、デジタルカメラやスチールカメラ等の光学機器には、レンズを通った光の量を調整する絞り装置が設けられている。絞り装置は、開口部を有する基板と、この開口部を開閉可能に支持された複数の絞り羽根と、開口部の周囲を取り囲むように形成され、複数の絞り羽根を開閉動作させるための駆動リングと、を備えている。
【０００３】
複数の羽根は、支持ピンに支持されており、この支持ピンを中心に回動自在に構成されている。また、複数の羽根または駆動リングの何れか一方にカム溝が形成され、他方にカム溝に挿入される係合ピンが設けられている。そして、駆動リングを動作させると、これら駆動リングと支持ピンと係合ピンとが協働して複数の羽根を動作させる。これにより、基板の開口部の開口量が調整できる。
【０００４】
ここで、支持ピンは、駆動リングの径方向外側に対応する位置で、駆動リングと軸方向（駆動リングの厚さ方向）に配置されたり（例えば、特許文献１参照）、駆動リングよりも径方向外側に配置されたり（例えば、特許文献２参照）する。
駆動リングと軸方向でラップする位置に支持ピンが配置されていると、この分、絞り装置全体の厚さが厚くなってしまう。このため、駆動リングよりも径方向外側に支持ピンを配置した方が絞り装置全体を薄型化できる。
【先行技術文献】
【特許文献】
【０００５】
【特許文献１】特公平７−９２５８０号公報
【特許文献２】国際公開第２００９／１１３３６３号
【発明の概要】
【発明が解決しようとする課題】
【０００６】
しかしながら、駆動リングよりも径方向外側に支持ピンを配置すると、絞り装置全体を薄型化できるが、絞り装置全体の径方向が（平面的に）大型化してしまうという課題がある。また、駆動リングを駆動させるためのアクチュエータや減速機構の位置に制約がある場合、絞り装置全体の径方向がさらに大型化してしまうという課題がある。
【０００７】
そこで、この発明は、上述した事情に鑑みてなされたものであって、装置全体を小型化できる絞り装置および光学機器を提供するものである。
【課題を解決するための手段】
【０００８】
上記の課題を解決するために、本発明に係る絞り装置は、開口部を有する基板と、前記開口部を開閉可能に支持された複数の第１羽根および１つの第２羽根と、前記開口部の周囲を取り囲むように形成され、前記複数の第１羽根および前記１つの第２羽根を開閉駆動するための駆動リングと、を備え、前記駆動リングに、前記第１羽根を回動可能に支持する第１支持ピンを設け、前記基板において、前記第１支持ピンよりも前記駆動リングにおける径方向の内側に、前記第１羽根と係合し、前記駆動リングおよび前記第１支持ピンと協働して前記第１羽根を開閉動作させる係合ピンを設け、前記基板は、前記駆動リングにおける径方向の外側に、前記駆動リングに動力を伝達するためのアクチュエータ室を備え、前記アクチュエータ室に、前記第２羽根を回動可能に支持する第２支持ピンを設け、前記第２羽根は、前記第１羽根により前記開口部を閉じたときに、前記開口部の中心を閉じることを特徴とする。
【０００９】
このように構成することで、絞り装置の薄型化を図りつつ、径方向の小型化も図ることができる。
【００１０】
本発明に係る絞り装置において、前記第１羽根は、カム溝を有し、前記係合ピンは、前記カム溝に挿入されていることを特徴とする。
【００１１】
このように構成することで、カム溝によって羽根の開閉動作を高精度に制御することが可能になる。
【００１２】
本発明に係る絞り装置において、前記駆動リングは、該駆動リングの周方向に延在する長孔を有し、前記係合ピンは、前記長孔に挿入されていることを特徴とする。
【００１３】
このように構成することで、駆動リングの径方向の幅を大きく設定しても、絞り装置全体の径方向の拡がりを抑えることができる。このため、駆動リングの剛性を高めつつ、絞り装置の小型化を図ることができる。
【００１４】
本発明に係る光学機器は、上記に記載の絞り装置を備えたことを特徴とする。
【００１５】
このように構成することで、小型な光学機器を提供できる。
【発明の効果】
【００１６】
本発明によれば、絞り装置の薄型化を図りつつ、径方向の小型化も図ることができる。
【図面の簡単な説明】
【００１７】
【図１】本発明の第１実施形態における光学機器のブロック図である。
【図２】本発明の第１実施形態における絞り装置の斜視図である。
【図３】本発明の第１実施形態における絞り装置の分解斜視図である。
【図４】本発明の第１実施形態における絞り羽根の平面図である。
【図５】本発明の第１実施形態における羽根収容部に１枚の絞り羽根と駆動リングのみを収納した状態を示す平面図である。
【図６】本発明の第１実施形態における補助羽根の平面図である。
【図７】本発明の第１実施形態における絞り装置の動作説明図であって、（ａ）は、全開状態を示し、（ｂ）は、中間絞り状態を示し、（ｃ）は、全閉状態を示している。
【図８】本発明の第２実施形態における羽根収容部に１枚の絞り羽根と駆動リングのみを収納した状態を示す平面図である。
【発明を実施するための形態】
【００１８】
以下、実施形態の光学機器および絞り装置を、図面を参照して説明する。
【００１９】
（第１実施形態）
（光学機器）
まず、図１〜図７に基づいて、この発明の第１実施形態について説明する。
図１は、光学機器１００のブロック図である。
同図に示すように、光学機器１００は、例えばデジタルカメラやスチールカメラ等として用いられるものであって、絞り装置１と、制御部１０２と、撮像素子１０３と、を備えている。
【００２０】
制御部１０２は、光学機器１００の全体の動作を司るものであって、ＣＰＵやＲＯＭ、ＲＡＭ等を備えている。
撮像素子１０３は、例えばＣＣＤやＣＭＯＳ等であって、光により形成された被写体像を電気信号に変換する。
なお、光学機器１００は、図１には図示していないが、焦点距離を調整するためのレンズ等も備えている。
【００２１】
（絞り装置）
図２は、絞り装置１の斜視図、図３は、絞り装置１の分解斜視図である。
図２、図３に示すように、絞り装置１は、例えば樹脂により形成された基板２を備えている。基板２は、略円板状の基板本体３と、基板本体３の一側に一体成形された平面視略扇型状のアクチュエータ室４と、により構成されている。
なお、以下の説明では、基板本体３の径方向を単に径方向と称し、基板本体３の周方向を単に周方向と称して説明する。
【００２２】
基板本体３の径方向中央には、開口部３ａが形成されている。この開口部３ａを、不図示のレンズを通った光が通る。また、基板本体３の外周部には、３つの取付座５が径方向に突出するように一体成形されている。３つの取付座５は、絞り装置１を光学機器１００の例えば筐体等に取り付けるためのものであって、中央の大部分に、不図示のボルトを挿通可能な貫通孔５ａが形成されている。また、３つの取付座５は、周方向に配置されている。
【００２３】
さらに、基板本体３の外周部には、この基板本体３の外周に沿って立ち上がり形成された壁部６が設けられている。この壁部６と基板本体３の一面３ｂとにより、一面が開口した箱状の羽根収容部７が形成される。この羽根収容部７に、複数（例えば、この実施形態では５枚）の絞り羽根８と、補助羽根９と、これら絞り羽根８および補助羽根９を動作させる駆動リング１０とが収納され、これらの上から羽根押え板１１が基板本体３に取り付けられている。
【００２４】
羽根押え板１１は、絞り羽根８、補助羽根９、駆動リング１０、および後述のロータかな２６、中間歯車２７が基板２から脱落してしまうのを防止するためのものである。羽根押え板１１は、基板２の形状に対応するように、略円板状の押え板本体１２と、押え板本体１２の一側に一体成形された平面視略扇型状のアクチュエータ押え１３と、により構成されている。
【００２５】
押え板本体１２の外周部、およびアクチュエータ押え１３の側辺には、それぞれ弾性変形可能な複数の係合片１４が基板２に向かって突出形成されている。一方、基板本体３の壁部６には、係合片１４に対応する位置に、この係合片１４を受け入れ可能な切り欠き部６ａが形成されている。また、アクチュエータ室４の２つの側辺には、係合片１４に対応する位置に、それぞれ係合片１４を受け入れ可能な凹部４ａが形成されている。そして、これら切欠き部６ａおよび凹部４ａには、それぞれ係合片１４と係合可能な係合爪３９が形成されている。これら係合片１４と係合爪３９とにより、基板２と羽根押え板１１とがスナップフィット固定される。
【００２６】
（絞り羽根）
図４は、絞り羽根８の平面図、図５は、基板２の羽根収容部７に、１枚の絞り羽根８と駆動リング１０のみを収納した状態を示す平面図である。なお、各絞り羽根８は、全て同一に形成されているので、１枚の絞り羽根８のみについて説明し、その他の絞り羽根８については、同一符号を付して説明を省略する。
【００２７】
図４、図５に示すように、絞り羽根８は、基板２に形成された開口部３ａの開口量を調整するためのものである。絞り羽根８は、樹脂により形成されており、若干湾曲した形になっている。より具体的には、絞り羽根８は、基板本体３の外周部から開口部３ａに向かって延出し、さらに開口部３ａの周囲に若干沿いながら開口部３ａの約半円分に渡って延在している。
【００２８】
また、絞り羽根８は、幅方向一側８ｃの曲率半径が幅方向他側８ｄの曲率半径よりも小さく設定されている。これにより、絞り羽根８は、基板本体３の端部（以下、基端８ａという）側の幅が最も幅広となるように、且つ延在方向略中央よりもやや基端とは反対（以下、先端８ｂという）側が最も括れるように形成される。そして、絞り羽根８は、基板本体３の一面３ｂ側に、幅方向一側８ｃが開口部３ａ側を向くように配置されている。
また、絞り羽根８の基端８ａ側には、幅方向他側８ｄ側に、支持孔１５が形成されている。さらに、絞り羽根８の基端８ａ側には、支持孔１５を避けた位置に、幅方向に延在するカム溝１６が形成されている。
【００２９】
（補助羽根）
図６は、補助羽根９の平面図である。
図２、図６に示すように、補助羽根９は、絞り羽根８によって基板の開口部３ａを閉塞したとき、完全に閉塞しきれない微小な開口を完全に閉塞するためのものである。補助羽根９は、樹脂により形成されており、若干湾曲した形になっている。より具体的には、補助羽根９は、基板本体３の外周部よりもやや外側から開口部３ａに向かって延出し、さらに開口部３ａの周囲に若干沿いながら開口部３ａに向かって延在している。
【００３０】
補助羽根９は、基板本体３の端部（以下、基端９ａという）からほぼ直線状に延在している。そして、補助羽根９は、基端９ａとは反対（以下、先端９ｂという）側端が若干湾曲しながら先細りとなるように形成されている。また、補助羽根９は、基端９ａ側が幅広となるように形成されている。このように形成された補助羽根９は、絞り羽根８上に、先端９ｂが開口部３ａ側を向くように配置されている。
また、補助羽根９の基端９ａは、幅方向で先端９ｂが向いている方向と同じ側の側辺に、延在方向に沿って延出する延出片９ｃが設けられている。この延出片９ｃに、支持孔１７が形成されている。さらに、補助羽根９の基端９ａ側には、支持孔１７を避けた位置に、幅方向に延在するカム溝１８が形成されている。
【００３１】
（駆動リング）
図２、図５に示すように、羽根収容部７には、基板本体３の一面３ｂ側に、壁部６の内周面に沿って凹部７１が形成されており、この凹部７１に駆動リング１０が収納されている。駆動リング１０は樹脂製で、その内周縁が凹部７１の内周面７１ａに沿うように略円環状に形成されており、羽根収容部７内に回転可能に配置されている。ここで、凹部７１の内周面７１ａは、駆動リング１０の動作範囲を規制するガイドの役割を兼ねている。
駆動リング１０には、絞り羽根８の個数に対応するように、複数（例えば、この実施形態では５つ）の第１支持ピン１９が突設されている。各第１支持ピン１９は、周方向に等間隔で配置されている。そして、各第１支持ピン１９が、それぞれ対応する絞り羽根８の支持孔１７に挿入されている。これにより、各第１支持ピン１９を中心にして各絞り羽根８が回動可能に支持される。
【００３２】
また、駆動リング１０の外周縁には、アクチュエータ室４に対応する箇所に、歯部２０が形成されている。この歯部２０は、アクチュエータ室４に設けられている後述の中間歯車２７と噛合可能に構成されている。
【００３３】
さらに、基板本体３には、駆動リング１０よりも径方向内側に、第１係合ピン２１が突設されている。この第１係合ピン２１も、第１支持ピン１９と同様に、絞り羽根８の個数に対応するように、複数（例えば、この実施形態では５つ）設けられ、周方向に沿って等間隔に配置されている。そして、各第１係合ピン２１が、それぞれ対応する絞り羽根８のカム溝１８に挿入されている。すなわち、各第１係合ピン２１は、対応する絞り羽根８と係合した形になっており、これにより、各絞り羽根８の動作範囲が規制される。
【００３４】
このような構成のもと、図２に詳示するように、各絞り羽根８は、それぞれ編み込むように、つまり、先端８ｂ側が周方向に順番に重なるように配置される。これにより、各絞り羽根８の幅方向一側８ｃで周囲を取り囲んだ形の絞り孔３０が形成される。
【００３５】
一方、アクチュエータ室４には、基板本体３の一面３ｂと同一面上の一面４ｂに、第２支持ピン２２が突設されている。より具体的には、アクチュエータ室４の一面４ｂには、周方向の一端側で、且つ基板本体３寄りに、第２支持ピン２２が突設されている。この第２支持ピン２２が、補助羽根９の支持孔１７に挿入されている。これにより、第２支持ピンを中心にして補助羽根９が回動可能に支持される。
【００３６】
また、補助羽根９のカム溝１８には、第１支持ピン１９が挿入されており、補助羽根９の動作範囲を規制するようになっている。すなわち、第１支持ピン１９は、補助羽根９の動作範囲を規制する第２係合ピン２３としての役割も兼ねている。
【００３７】
（アクチュエータ室）
図２、図３に示すように、アクチュエータ室４には、駆動リング１０を動作させるためのアクチュエータ２４が取り付けられている。アクチュエータ２４は、モータ２５と、このモータ２５の回転軸２６に取り付けられたロータかな２６と、ロータかな２６に噛合される中間歯車２７と、を備えている。
【００３８】
モータ２５は、アクチュエータ室４の一面４ｂとは反対側に配置されている。アクチュエータ室４には、モータ２５に対応する位置に、モータ２５の外径よりも小径な貫通孔２８が形成されている。この貫通孔２８を介し、アクチュエータ室４の一面４ｂ側にモータ２５の回転軸２６が臨まされている。そして、ロータかな２６および中間歯車２７は、アクチュエータ室４の一面４ｂ側に配置されている。
また、中間歯車２７には、駆動リング１０の歯部２０が噛合されている。中間歯車２７は、モータ２５（ロータかな２６）の回転を減速させて駆動リング１０に伝達させる。これにより、モータ２５の駆動力が、ロータかな２６および中間歯車２７を介して駆動リング１０に伝達され、駆動リング１０が回転する。
【００３９】
（絞り装置の動作）
次に、図７に基づいて、絞り装置１の動作について説明する。
図７は、絞り装置１の動作説明図であって、（ａ）は、全開状態を示し、（ｂ）は、中間絞り状態を示し、（ｃ）は、全閉状態を示している。
なお、全開状態とは、絞り羽根８によって形成された絞り孔３０（図２参照）の開口面積が最も大きい状態をいう。また、全閉状態とは、絞り孔３０の開口面積が最も小さく、且つ微小な絞り孔３０を補助羽根９によって閉塞した状態をいう。さらに、中間絞り状態とは、絞り孔３０の開口面積が全開状態と全閉状態との中間の大きさであるときの状態をいう。
【００４０】
図７（ａ）に示すように、全開状態のとき、駆動リング１０の第１支持ピン１９（第２係合ピン２３）と第１係合ピン２１は、互いに最も接近した状態になっており、第１支持ピン１９と第２支持ピン２２は、互いに最も離間した状態になっている。換言すれば、絞り羽根８のカム溝１６において、第１支持ピン１９に最も接近した位置に第１係合ピン２１が存在している。また、補助羽根９のカム溝１８において、第２支持ピン２２から最も離間した位置に第１支持ピン１９（第２係合ピン２３）が存在している。なお、全開状態の際、絞り孔３０の大きさは、基板２の開口部３ａよりも若干大きくなる程度になっている。
【００４１】
図７（ｂ）に示すように、全開状態からモータ２５を駆動させ、駆動リング１０を一方向（この実施形態では、時計回り方向）ＣＷに回転させると、第１支持ピン１９（第２係合ピン２３）が第１係合ピン２１から離間する方向に向かって移動すると共に、第１支持ピン１９（第２係合ピン２３）が第２支持ピン２２に接近する方向に向かって移動する。
すると、絞り羽根８は、第１支持ピン１９を中心にして一方向（時計回り方向）ＣＷに向かって回動する。一方、補助羽根９は、第２支持ピン２２を中心にして他方向（この実施形態では、反時時計回り方向）ＣＣＷに向かって回動する。
【００４２】
ここで、絞り羽根８に形成されているカム溝１６は、その延在方向の駆動リング１０の回転方向（駆動リング１０の接線方向）に対する角度が大きい。これに対し、補助羽根９に形成されているカム溝１８は、その延在方向の駆動リング１０の回転方向に対する角度が小さい。このため、駆動リング１０の回転角度が同一であっても、絞り羽根８の回転角度（変位量）は大きくなるのに対し、補助羽根９の回転角度は小さい。この結果、中間絞り状態では、補助羽根９によって絞り孔３０が閉塞されていない。
【００４３】
図７（ｃ）に示すように、さらに駆動リング１０が一方向ＣＷに向かって回転すると、駆動リング１０の第１支持ピン１９（第２係合ピン２３）と第１係合ピン２１は、互いに最も離間した状態になり、第１支持ピン１９と第２支持ピン２２は、互いに最も接近した状態になる。換言すれば、絞り羽根８のカム溝１６において、第１支持ピン１９から最も離間した位置に第１係合ピン２１が存在している。また、補助羽根９のカム溝１８において、第２支持ピン２２に最も接近した位置に第１支持ピン１９（第２係合ピン２３）が存在している。これにより、絞り装置１は、全閉状態となる。
なお、絞り装置１を全閉状態から全開状態へと変化させる際は、上記の手順の逆の作業を行うことになる。
【００４４】
このように、上述の第１実施形態では、絞り羽根８を回動自在に支持するための第１支持ピン１９を、駆動リング１０に設けている。また、絞り羽根８と係合してこの絞り羽根８の動作を規制する第１係合ピン２１を、駆動リング１０の径方向内側に設けている。このため、絞り装置１の薄型化を図りつつ、従来と比較して径方向の小型化も図ることができる。
【００４５】
また、絞り羽根８にカム溝１６を形成し、このカム溝１６に第１係合ピン２１を挿入することで、絞り羽根８と第１係合ピン２１とを係合させている。さらに、補助羽根９にカム溝１８を形成し、このカム溝１８に第１支持ピン１９（第２係合ピン２３）を挿入することで、補助羽根９と第１支持ピン１９（第２係合ピン２３）とを係合させている。このため、各カム溝１６，１８を高精度に形成することにより、各羽根８，９の動作を高精度に規制することができる。
【００４６】
さらに、駆動リング１０に、第１支持ピン１９（第２係合ピン２３）を設けている。また、基板本体３の駆動リング１０よりも径方向内側に、第１係合ピン２１を設けている。さらに、駆動リング１０よりも径方向外側であるアクチュエータ室４に、第２支持ピン２２を設けている。このため、１つの駆動リング１０の回転に伴って、絞り羽根８が第１支持ピン１９を中心に回動する方向と、補助羽根９が第２支持ピン２２を中心に回動する方向とが逆になる。換言すれば、絞り羽根８と補助羽根９は、１つの駆動リング１０の動作に基づいて、それぞれ異なる動作をする。したがって、絞り羽根８および補助羽根９の開閉動作時に、これら絞り羽根８と補助羽根９とが絡まってしまうことがない。よって、絞り羽根８と補助羽根９との間に、両者８，９を隔てる手段が必要なく、絞り装置１を薄型化できる。
【００４７】
また、駆動リング１０に設けられた絞り羽根８を支持するための第１支持ピン１９に、補助羽根９の動作範囲を規制する第２係合ピン２３としての役割を持たせている。このため、絞り装置１の部品点数を削減でき、絞り装置１の小型化に加え、製造コストも低減できる。
さらに、アクチュエータ室４に第２支持ピン２２を設けているので、この第２支持ピン２２を設けるために、基板２（基板本体３）に余分なスペースを設ける必要がなく、絞り装置１を小型化できる。
【００４８】
（第２実施形態）
次に、図８に基づいて、この発明の第２実施形態について説明する。なお、第１実施形態と同一態様には、同一符号を付して説明を省略する。
図８は、第２実施形態における絞り装置２０１の基板２の羽根収容部７に、１枚の絞り羽根８と駆動リング２１０のみを収納した状態を示す平面図であって、前述の図５に対応している。
【００４９】
同図に示すように、前述の第１実施形態と第２実施形態との相違点は、第１実施形態の駆動リング１０と第２実施形態の駆動リング２１０との形状が異なる点にある。また、第１実施形態では、ロータかな２６および中間歯車２７を介してモータ２５の駆動力を駆動リング１０に伝達しているが、第２実施形態では、ロータかな２６のみを介してモータ２５の駆動力を駆動リング２１０に伝達している点にある。
【００５０】
より具体的には、駆動リング２１０の径方向の幅は、第１実施形態の駆動リング１０と比較して幅広に設定されている。そして、基板２０２に設けられている第１係合ピン２１に対応する位置に、周方向に沿って延在する長円形状の長孔４１が形成されている。この長孔４１に、第１係合ピン２１が挿入されている。また、駆動リング２１０の長孔４１の径方向の幅は、第１係合ピン２１の直径よりも十分大きく設定されている。
【００５１】
さらに、第１実施形態における中間歯車２７を省き、ロータかな２６に直接駆動リング２１０の歯部２０を噛合させるように構成している。このため、中間歯車２７を省く分、駆動リング２１０の外径が大きく設定されている。
また、駆動リング２１０が大きくなる分、基板２０２の基板本体２０３の外径が大きく設定される。そして、上述の第１実施形態のようにアクチュエータ室４を設けることなく、基板本体２０３内にロータかな２６が設けられる。
【００５２】
したがって、上述の第２実施形態によれば、駆動リング２１０に長孔４１を形成することにより、第１係合ピン２１と干渉させることなく、前述の第１実施形態と比較して駆動リング２１０の径方向の幅を幅広に設定できる。このため、駆動リング２１０の剛性を高めつつ、絞り装置２０１の小型化を図ることができる。
また、駆動リング２１０の長孔４１の径方向の幅は、第１係合ピン２１の直径よりも十分大きく設定されている。このため、第１係合ピン２１によって駆動リング２１０の回転を阻害されることなく、駆動リング２１０をスムーズに回転することができる。
【００５３】
さらに、第１実施形態における中間歯車２７を省き、ロータかな２６に直接駆動リング２１０の歯部２０を噛合させるように構成している。そして、中間歯車２７を省く分、駆動リング２１０の外径が大きく設定されている。このため、中間歯車２７を省いても、駆動リング２１０のトルクを十分確保することができる。
また、基板２０２は、アクチュエータ室４が省かれているので、駆動リング２１０の大きさに応じて基板本体２０３の外径を大きく設定しても、基板２０２全体としては小型化を図ることができる。
【００５４】
なお、本発明は上述の実施形態に限られるものではなく、本発明の趣旨を逸脱しない範囲において、上述の実施形態に種々の変更を加えたものを含む。
例えば、上述の実施形態では、光学機器１００は、例えばデジタルカメラやスチールカメラ等として用いられるものである場合について説明した。しかしながら、これに限られるものではなく、さまざまな用途に光学機器１００を用いることができる。
【００５５】
また、上述の実施形態では、絞り羽根８にカム溝１６を形成し、このカム溝１６に第１係合ピン２１を挿入して絞り羽根８と第１係合ピン２１とを係合させる場合について説明した。さらに、補助羽根９にカム溝１８を形成し、このカム溝１８に第１支持ピン１９（第２係合ピン２３）を挿入して補助羽根９と第１支持ピン１９とを係合させる場合について説明した。しかしながら、これに限られるものではなく、各羽根８，９にそれぞれカム溝１６，１８を形成せずに複数の係合ピン２１，２３を設け、これら係合ピン２１，２３によって絞り羽根８や補助羽根９の動作を規制するように構成してもよい。
例えば、各羽根８，９に対し、駆動リング１０，２１０の回転方向前方側の所定の位置と、回転方向後方側の所定の位置とのそれぞれに係合ピン２１，２３を設けてもよい。そして、これら係合ピンに各羽根８，９を当接させ、各羽根８，９を動作させるように構成してもよい。
【００５６】
さらに、上述の実施形態では、駆動リング１０，２１０に設けられた第１支持ピン１９が、補助羽根９の動作範囲を規制する第２係合ピン２３としての役割も兼ねている場合について説明した。しかしながら、これに限られるものではなく、第２係合ピン２３を、第１支持ピン１９とは別に設けてもよい。
また、上述の実施形態では、絞り羽根８を５枚設け、これにより、基板２，２０２の開口部３ａ（絞り孔３０）の開口量を調整する場合について説明した。しかしながら、絞り羽根８の枚数は５枚に限られるものではなく、任意に設定することが可能である。
【００５７】
さらに、上述の実施形態では、駆動リング１０に第１支持ピン１９（第２係合ピン２３）を設け、基板本体３の駆動リング１０よりも径方向内側に、第１係合ピン２１を設け、駆動リング１０よりも径方向外側であるアクチュエータ室４に、第２支持ピン２２を設けた場合について説明した。そして、１つの駆動リング１０の回転に伴って、絞り羽根８が第１支持ピン１９を中心に回動する方向と、補助羽根９が第２支持ピン２２を中心に回動する方向とが逆になるように構成した場合について説明した。しかしながら、これに限られるものではなく、１つの駆動リング１０の回転に伴って、絞り羽根８と補助羽根９とがそれぞれ異なる動きをするように構成されていればよい。
【符号の説明】
【００５８】
１，２０１…絞り装置  ２，２０２…基板  ３…基板本体  ３ａ…開口部  ４…アクチュエータ室  ８…絞り羽根（第１羽根）  ９…補助羽根（第２羽根）  １０，２１０…駆動リング  １６…カム溝  １９…第１支持ピン  ２１…第１係合ピン（係合ピン）  ２２…第２支持ピン  ４１…長孔  １００…光学機器
【図１】
0006494015.tif 000002
【図２】
0006494015.tif 000003
【図３】
0006494015.tif 000004
【図４】
0006494015.tif 000005
【図５】
0006494015.tif 000006
【図６】
0006494015.tif 000007
【図７】
0006494015.tif 000008
【図８】
0006494015.tif 000009